(57)【要約】  【課題】  ユーザ情報に登録されたユーザの所在地及びユーザレベルなどに基づいて、ユーザであるそれぞれの国や領域にある現地法人や代理店、システムメーカーへ自動的に製品情報のコンテンツを配信する。  【解決手段】  通信網２００を介して接続された少なくとも１台のユーザ端末３００からなる登録ユーザに対して製品のコンテンツ情報を配信するコンテンツ配信システムであって、製品のコンテンツ情報を記憶するコンテンツ情報データベース１０７と、登録ユーザの情報を記憶するユーザ情報データベース１０４と、ユーザ情報データベース１０４に記憶されているユーザ情報に基づいて、コンテンツ情報を配信するコンテンツ情報配信手段１０８とを備える。【選択図】  図１
2006099398.tif 000002
【特許請求の範囲】
【請求項１】
通信網を介して接続された少なくとも１台のユーザ端末からなる登録ユーザに対して製品のコンテンツ情報を配信するコンテンツ配信システムであって、
前記製品のコンテンツ情報を記憶するコンテンツ情報データベースと、
前記登録ユーザの情報を記憶するユーザ情報データベースと、
前記ユーザ情報データベースに記憶されているユーザ情報に基づいて、前記コンテンツ情報を配信するコンテンツ情報配信手段と、
を備えることを特徴とするコンテンツ配信システム。
【請求項２】
前記コンテンツ情報が変更されたことを検出するコンテンツ変更検出手段と、
前記コンテンツ変更検出手段によりコンテンツ変更を検出したとき、前記ユーザ情報データベースに記憶されているユーザ情報に基づいて、前記コンテンツ情報の変更情報を配信するコンテンツ変更情報配信手段と、
を備えることを特徴とする請求項１に記載のコンテンツ配信システム。
【請求項３】
前記ユーザ情報には、前記登録ユーザが所在する領域及び／又は国の情報が含まれており、
前記情報配信手段は、前記登録ユーザが所在する地域がコンテンツ情報配信の対象地域か否かを前記領域及び／又は国の情報に基づいて判断して前記コンテンツ情報を配信することを特徴とする請求項１又は２に記載のコンテンツ配信システム。
【請求項４】
前記コンテンツ情報データベースには、各製品ごとにコンテンツ情報の公開予定日が設定されており、
情報配信手段は、前記公開予定日の情報に基づいて、前記登録ユーザに前記コンテンツ情報を配信する期日を判断して前記コンテンツ情報を配信することを特徴とする請求項１〜３のいずれか１項に記載のコンテンツ配信システム。
【請求項５】
前記ユーザ情報には、ユーザの種別に応じたユーザレベルが含まれており、
情報配信手段は、前記ユーザレベルに基づいて開示するコンテンツ情報を判断して該コンテンツ情報を配信することを特徴とする請求項１〜４のいずれか１項に記載のコンテンツ配信システム。
【請求項６】
前記コンテンツ情報は、製品の仕様情報、画像情報、動画情報、取り扱い説明情報、サービス情報、保守・メンテナンス情報のうちいずれか１つが少なくとも含まれていることを特徴とする請求項１〜５のいずれか１項に記載のコンテンツ配信システム。
【請求項７】
前記コンテンツ情報は、製品の広告・宣伝用の情報であることを特徴とする請求項１〜６のいずれか１項に記載のコンテンツ配信システム。
【請求項８】
通信網を介して接続された少なくとも１台のユーザ端末からなる登録ユーザに対して製品のコンテンツ情報を配信するコンテンツ配信方法であって、
前記製品のコンテンツ情報を記憶するコンテンツ情報データベースからコンテンツ情報を取得するステップと、
前記ユーザ情報データベースからユーザ情報を取得するステップと、
前記ユーザ情報に基づいて、前記コンテンツ情報を配信するステップと、
を含むことを特徴とするコンテンツ配信方法。
【請求項９】
通信網を介して接続された少なくとも１台のユーザ端末からなる登録ユーザに対して製品のコンテンツ情報を配信するためのコンテンツ配信プログラムであって、
コンピュータに、
前記製品のコンテンツ情報を記憶するコンテンツ情報データベースからコンテンツ情報を取得する機能と、
前記ユーザ情報データベースからユーザ情報を取得する機能と、
前記ユーザ情報に基づいて、前記コンテンツ情報を配信する機能と、
を実現させることを特徴とするコンテンツ配信プログラム。
【発明の詳細な説明】
【技術分野】
【０００１】
本発明は、コンテンツ配信システム、コンテンツ配信方法及びそのプログラムに関する。
【背景技術】
【０００２】
近年、マルチメディア技術の進歩により、文字・画像・音声からなるマルチメディア情報をデータベースとして保存し、個々の製品情報提示手段（紙媒体のチラシ・カタログ、ＣＤ−ＲＯＭ媒体のチラシ・カタログ、インターネットへのアップロード用のホームページデータ）に適合したデータ形式に変換して製品情報の供給を行うシステムがある（例えば、特許文献１）。
ところが、世界中に販売網を有するメーカーの製品広告や製品カタログ等は、製品を販売する国や領域ごとに、その言語、市場が異なる。このように、世界中に販売網を有するメーカーにおいては、全ての国や領域に対する製品広告や製品カタログ等をメーカー本社で作成することは困難であるため、製品の広告や製品カタログ等に使用する製品の外観、仕様等の製品情報のコンテンツを、それぞれの国や領域にある現地法人や代理店、その製品を用いた応用製品を販売するシステムメーカーなどに提供し、それぞれの現地法人や代理店、システムメーカーが担当する国や領域に合わせた内容の製品広告や製品カタログを作成するようにしている。そして、上記コンテンツは、ＣＤ−Ｒ等の可搬型の記録媒体に記録し、郵便などで現地法人や各代理店、システムメーカーへ発送している。
【特許文献１】特開平１０−１６２０８１
【発明の開示】
【発明が解決しようとする課題】
【０００３】
上記のように、世界中に販売網を有するメーカーの製品広告や製品カタログ等は、製品を販売する国や領域によって、言語や取り扱う製品が異なる場合があるので、それぞれの国や領域に合わせたコンテンツを現地法人や代理店、システムメーカーへそれぞれ提供しなければならない。
また、製品を販売する国や領域によって、販売開始期日が異なる場合があるので、各販売開始期日に応じて計画されている情報公開日に合わせて提供する必要がある。
さらに、現地法人や代理店、システムメーカーなどのユーザは、ユーザ毎にメーカーとの取り引き関係の深さ（ユーザレベル）がそれぞれ異なり、このユーザレベルの違いに応じてメーカーから提供できる製品情報の質や量の程度も異なる。
【０００４】
従って、各ユーザ向けのコンテンツは、製品を販売する国や領域，販売時期及びユーザレベルなどの状況に応じてそれぞれ作成して、作成したコンテンツをメーカーから各ユーザに記録媒体（ＣＤ−Ｒ等）毎にそれぞれ記録し発送する必要があり、手間がかるという問題がある。
また、最新の情報を提供することが望ましいが、製品の追加や製品の仕様変更などで製品情報に変更が生じたときに、ユーザにより提供する製品の種類、提供できる情報の質や量がそれぞれ異なるので、各ユーザ向けの更新情報を速やかに提供することが困難であるという問題がある。
上記の記録媒体（ＣＤ−Ｒ等）の発送作業にかかる手間や時間は、例えば、Ｅメールに各ユーザ別に作成したコンテンツのデータを添付して送信すれば解消できるが、各ユーザ別にコンテンツをそれぞれ作成する手間は解消できない。
【０００５】
本発明は、上記事情に鑑みてなされたものであり、本発明の目的は、ユーザ情報に登録されたユーザの所在地及びユーザレベルなどのユーザ情報に基づいて、ユーザであるそれぞれの現地法人や代理店、システムメーカーへ自動的に製品情報のコンテンツを配信することができるコンテンツ配信システム、コンテンツ配信方法及びそのプログラムを提供することにある。
【課題を解決するための手段】
【０００６】
上記課題を解決するために、本発明のコンテンツ配信システムは、通信網を介して接続された少なくとも１台のユーザ端末からなる登録ユーザに対して製品のコンテンツ情報を配信するコンテンツ配信システムであって、前記製品のコンテンツ情報を記憶するコンテンツ情報データベースと、前記登録ユーザの情報を記憶するユーザ情報データベースと、前記ユーザ情報データベースに記憶されているユーザ情報に基づいて、前記コンテンツ情報を配信するコンテンツ情報配信手段と、を備えることを特徴とする。
【０００７】
また、前記コンテンツ情報が変更されたことを検出するコンテンツ変更検出手段と、前記コンテンツ変更検出手段によりコンテンツ変更を検出したとき、前記ユーザ情報データベースに記憶されているユーザ情報に基づいて、前記コンテンツ情報の変更情報を配信するコンテンツ変更情報配信手段と、を備えることを特徴とする。
また、前記ユーザ情報には、前記登録ユーザが所在する領域及び／又は国の情報が含まれており、前記情報配信手段は、前記登録ユーザが所在する地域がコンテンツ情報配信の対象地域か否かを前記領域及び／又は国の情報に基づいて判断して前記コンテンツ情報を配信することを特徴とする。
また、前記コンテンツ情報データベースには、各製品ごとにコンテンツ情報の公開予定日が設定されており、情報配信手段は、前記公開予定日の情報に基づいて、前記登録ユーザに前記コンテンツ情報を配信する期日を判断して前記コンテンツ情報を配信することを特徴とする。
また、前記ユーザ情報には、ユーザの種別に応じたユーザレベルが含まれており、
情報配信手段は、前記ユーザレベルに基づいて開示するコンテンツ情報を判断して該コンテンツ情報を配信することを特徴とする。
また、前記コンテンツ情報は、製品の仕様情報、画像情報、動画情報、取り扱い説明情報、サービス情報、保守・メンテナンス情報のうちいずれか１つが少なくとも含まれていることを特徴とする。
また、前記コンテンツ情報は、製品の広告・宣伝用の情報であることを特徴とする。
【０００８】
また、本発明のコンテンツ配信方法は、通信網を介して接続された少なくとも１台のユーザ端末からなる登録ユーザに対して製品のコンテンツ情報を配信するコンテンツ配信方法であって、前記製品のコンテンツ情報を記憶するコンテンツ情報データベースからコンテンツ情報を取得するステップと、前記ユーザ情報データベースからユーザ情報を取得するステップと、前記ユーザ情報に基づいて、前記コンテンツ情報を配信するステップと、を含むことを特徴とする。
【０００９】
また、本発明のコンテンツ配信プログラムは、通信網を介して接続された少なくとも１台のユーザ端末からなる登録ユーザに対して製品のコンテンツ情報を配信するためのコンテンツ配信プログラムであって、コンピュータに、前記製品のコンテンツ情報を記憶するコンテンツ情報データベースからコンテンツ情報を取得する機能と、前記ユーザ情報データベースからユーザ情報を取得する機能と、前記ユーザ情報に基づいて、前記コンテンツ情報を配信する機能と、を実現させることを特徴とする。
【発明の効果】
【００１０】
本発明は、ユーザ情報に登録されたユーザの所在地及びユーザレベルなどに基づいて、登録ユーザであるそれぞれの国や領域にある現地法人や代理店、システムメーカーへ自動的に製品情報のコンテンツを配信することができるので、
（１）製品を販売する国や領域によって、言語や取り扱う製品が異なる場合、
（２）製品によって情報公開時期が異なる場合、
（３）ユーザによってメーカーとの取り引き関係の深さ（ユーザレベル）がそれぞれ異なる場合、
上記（１）〜（３）の場合など状況が異なるユーザに対して、それぞれ適切な製品情報のコンテンツを、手間をかけずに、最新の情報を提供することができる。
【発明を実施するための最良の形態】
【００１１】
以下、本発明の実施形態のユーザ情報に応じたコンテンツ配信システムについて、図面を用いて詳細に説明する。
【００１２】
（第１の実施形態）
図１は、本発明の第１の実施形態に係るユーザ情報に応じたコンテンツ配信システムの構成を示すブロック図である。
図１に示すように、コンテンツ配信システム１００は、ユーザ情報取得部１０１と、制御部１０２と、ユーザ情報登録部１０３と、ユーザ情報データベース１０４と、コンテンツ情報取得部１０５と、コンテンツ情報登録部１０６と、コンテンツ情報データベース１０７と、コンテンツ情報配信部１０８とを有する構成であり、インターネットやイントラネット等の通信網２００を介してユーザ端末３００と情報の送受信を行う。
【００１３】
ユーザ情報取得部１０１は、通信網２００を介してユーザ端末３００からユーザ情報を取得する。このユーザ情報は、ユーザが入力した情報を元にしており、例えば、ユーザ名、電話番号、国、領域などを含んでいる。
【００１４】
制御部１０２は、コンテンツ配信システム１００の全体を制御するものであり、ユーザ情報取得部１０１からユーザ情報を取得した際、ユーザ情報登録部１０３に対し、取得したユーザ情報をユーザ情報データベース１０４に記録するよう制御したり、コンテンツ情報取得部１０５からコンテンツ情報を取得した際、コンテンツ情報登録部１０６に対し、取得したコンテンツ情報をコンテンツ情報データベース１０７に記録するよう制御したり、コンテンツ情報配信時にコンテンツ情報配信を制御したりする。
【００１５】
ユーザ情報登録部１０３は、ユーザ情報取得部１０１で取得したユーザ情報をユーザ情報データベース１０４に登録するものである。
ユーザ情報データベース１０４は、ユーザ情報を記憶するものである。ここで、記憶されたのは、氏名、年齢、Ｅメールアドレス等のユーザ基本情報の他、所在地域の国名や領域名、そのユーザを担当するメーカー側の現地法人名や（現地法人の）担当者名なども含まれている。
【００１６】
コンテンツ情報取得部１０５は、Ｗｅｂサイト管理者が入力したコンテンツ情報を取得するものである。コンテンツ情報は、例えば、製品の仕様情報、画像情報、動画情報、取り扱い説明情報、サービス情報、保守・メンテナンス情報、などの製品情報を含んだ情報であり、さらに、製品を販売する販売店の情報（住所、電話番号、Ｅメールアドレス、店舗の画像等）などの関連情報も含むものであっても良い。
【００１７】
コンテンツ情報登録部１０６は、コンテンツ情報取得部１０５で取得したコンテンツ情報をコンテンツ情報データベース１０７に登録するものである。
コンテンツ情報データベース１０７は、コンテンツ情報を記憶するものである。
コンテンツ情報配信部１０８は、コンテンツ情報を配信するものであり、コンテンツ情報配信時に、ユーザ情報データベース１０４からユーザ情報を読み出して、ユーザ情報に基づいて配信先を決定して、その配信先に対してコンテンツ情報を配信する。
【００１８】
次に、本発明の第１の実施形態に係るコンテンツ配信システム１００について、ユーザ情報登録時及びコンテンツ情報配信時の動作を図２に示すフローチャートに基づいて説明する。
まず、ユーザが仮ＩＤを用いて、図３に示すログイン画面でログインする（ステップＳ２０１）。ここで、ユーザは、図３に示すログイン画面の「ＩＤ：」３０１の欄で仮ＩＤを入力し、「Ｐａｓｓｗｏｒｄ：」３０２の欄で自分のパスワードを入力して、「Ｌｏｇｉｎ」ボタン３０３を押して、ログインする。この一連の動作でログインすると、図４に示すプライバシーポリシーページ画面を表示する。
ユーザはこの図４に示した画面に記載された事項を読んで、内容を了解した上で、図４の「Ａｇｒｅｅ」ボタン５０１を押すと、図５に示すユーザ登録画面に遷移する。
【００１９】
そして、図５のユーザ登録画面に必要な事項を記入し、ユーザ登録を行う（ステップＳ２０２）。図５に記入する事項は、氏名、年齢、連絡Ｅメールアドレス等基本的な情報の他、「Ｒｅｇｉｏｎ／Ｃｏｕｎｔｒｙ」６０１でユーザの所在する領域名（例えば、Ａｓｉａなど）や国名（例えば、Ｊａｐａｎなど）を記入する。図５に示した、登録に必要な事項を記入した後、「Ｕｐｄａｔｅ」ボタン６０２を押すと、記入したユーザ登録情報は、通信網２００を介してコンテンツ配信システム１００に送信される。
【００２０】
コンテンツ配信システム１００のユーザ情報取得部１０１は、通信網２００を介してユーザ登録情報を受信する（ステップＳ２０３）。コンテンツ配信システム１００側の端末に表示されたユーザ登録画面は図６に示す。図６に示すユーザ登録画面において、上の部分のユーザ登録情報領域７０１は、図５に示したユーザ登録画面の内容と同様であり、下の部分の管理者用情報領域７０２は、Ｗｅｂサイト管理者専用の情報領域である。
【００２１】
そして、Ｗｅｂサイト管理者は、図７に示すプロファイル管理画面でユーザプロファイルの登録を行う（ステップＳ２０４）。図７に示すプロファイル登録画面の構造は図６に示したユーザ登録画面と同様であるが、ユーザレベルの種別のプルダウンメニューが開いた画面になっている。Ｗｅｂサイト管理者はユーザ登録情報を参照しながら、ユーザ種別欄８０１にユーザレベルの種別を選択し記入する。このユーザレベルの種別には、表１のような種別がある。
【表１】
2006099398.tif 000003
【００２２】
表１において、“未承認”の種別のユーザは、Ｗｅｂサイトそのものの閲覧を全く認めないユーザである。
“仮ＩＤ”の種別のユーザは、会員登録専用のユーザである。
“ＭＰ後顧客”は、製品の公開後にコンテンツ情報を閲覧できるユーザである。
“ＭＰ前顧客”は、製品の公開前でもコンテンツ情報を閲覧できるユーザである。
“ＭＰ後社員”は、製品の公開後に社内専用の情報を含むコンテンツ情報を閲覧できるユーザであり、現地法人を含む。
“ＭＰ前社員”は、製品の公開前でも社内専用の情報を含むコンテンツ情報を閲覧できるユーザであり、現地法人を含む。
“チェック者”は、新規のコンテンツ情報をＷｅｂサイトに掲載する前に、当該コンテンツ情報をチェックする担当者である。
“管理者”は、本Ｗｅｂサイトの管理者である。
このように、ユーザプロファイルに種別に応じたユーザレベルを持たせることにより、ユーザレベルに応じて開示する情報の質や量をコントロールすることができる。
【００２３】
そして、Ｗｅｂサイト管理者は、ユーザ種別欄８０１のプルダウンメニューでユーザの種別を選択することにより、ユーザレベル欄８０２にユーザの種別に応じたユーザレベルが自動的に入力される。さらに、ユーザ所在の国や領域に応じて、その地域の担当現地法人（担当現法）欄８０３に担当現地法人の略号（例えば、“ＪＰ”など）を記入する。
【００２４】
次に、コンテンツ配信システム１００のユーザ情報取得部１０１がＷｅｂサイト管理者が登録したユーザ登録情報を取得し（ステップＳ２０５）、ユーザ情報登録部１０３がそのユーザ登録情報をユーザ情報データベース１０４に記録する（ステップＳ２０６）。
【００２５】
続いて、Ｗｅｂサイト管理者が各製品毎にコンテンツ情報を登録する（ステップＳ２０７）。図８は、コンテンツ情報登録画面である。図８に示す例では、製品ＩＤが“ＡＢＣＤ”という製品のコンテンツ情報の地域ごとの公開予定年月日の一覧が表示されている。例えば、地域欄（ＡＲＥＡ）に矢印で示された“ＪＰ”という略号の担当現地法人における、製品ＩＤが“ＡＢＣＤ”という製品のコンテンツ情報の公開予定年月日（ＭＰ）を２００４年１月１日と設定する。このようにして、各地域（担当現地法人）毎に公開予定日を設定したコンテンツ情報を登録する。
【００２６】
コンテンツ配信システム１００のコンテンツ情報取得部１０５はＷｅｂサイト管理者が登録したコンテンツ情報を取得する（ステップＳ２０８）。
【００２７】
コンテンツ情報配信部１０８は、コンテンツ情報取得部１０５で取得したコンテンツ情報の内容に基づいて、ユーザ情報データベース１０４からユーザ情報を取得し（ステップＳ２０９）、コンテンツ情報に記録されたコンテンツ情報公開日になると、コンテンツ情報を配信する（ステップＳ２１０）。
【００２８】
ここで、登録したコンテンツ内容によって、配信先のユーザが異なるので、コンテンツ情報配信部１０８はコンテンツ情報登録時の内容に基づいて、ユーザ情報データベース１０４から取得したユーザ情報は配信先のユーザの情報であるかを判断し、配信先のユーザの情報である場合に、そのユーザに対してコンテンツ情報を配信する。判断の基準としては、例えば、当該ユーザが所在する国や領域は、コンテンツ情報配信の対象地域であるかなどである。
【００２９】
また、登録したコンテンツ情報の内容によって、コンテンツ情報配信時期が異なる。例えば、図８に示したコンテンツ情報に対しては、各担当現地法人ごとに、公開予定日が設定されており、その公開予定日に以降にコンテンツ情報を配信する。
例えば、図８に示したコンテンツ情報において、“ＪＰ”という現地法人の担当する地域のユーザに対しては、このコンテンツ情報を２００４年１月１日に以降に配信する。
ユーザ端末３００は、通信網２００を介してコンテンツ配信システム１００からのコンテンツ情報を取得し（ステップＳ２１１）、表示する（ステップＳ２１２）。そして、処理が終了する（ステップＳ２１３）。
【００３０】
以上説明したように、コンテンツ情報配信部１０８は、登録ユーザに対してコンテンツ情報を配信するとき、ユーザ情報データベース１０４からユーザ情報を取得して、取得したユーザ情報は配信先のユーザの情報である場合に、コンテンツ情報登録時に指定されたコンテンツ公開日以降に、そのユーザに対してコンテンツ情報を配信する。
【００３１】
このため、コンテンツ情報とユーザ情報データベースに記録されたユーザ情報とを関連づけることにより、各ユーザのレベルに応じたコンテンツ情報を提供することができる。また、各担当現地法人ごとに、公開予定日をコンテンツ情報登録時に設定することにより、各地域の公開予定日に応じてコンテンツ情報配信時期を変えて、各地域へのコンテンツ情報の提供を行うことができる。
【００３２】
（第２の実施形態）
次に、本発明の第２の実施形態に係るコンテンツ配信システム４００について説明する。第２の実施形態は、新着情報やコンテンツ内容の変更時に、自動的にそのコンテンツ情報に変更があった旨をユーザに連絡する例である。
【００３３】
図９は、本発明の第２の実施形態に係るコンテンツ配信システム４００の全体構成を示すブロック図である。
第２の実施形態のコンテンツ配信システム４００は、ユーザ情報取得部１０１と、制御部４０２と、ユーザ情報登録部１０３と、ユーザ情報データベース１０４と、コンテンツ情報登録部１０６と、コンテンツ情報データベース１０７と、コンテンツ情報配信部１０８と、コンテンツ変更検出部４０１と、コンテンツ変更情報配信部４０３と、を有する構成であり、インターネットやイントラネット等の通信網２００を介してユーザ端末３００と情報の送受信を行う。
なお、図１に示したコンテンツ配信システム１００と同一の構成要素には、同一の符号を付してその説明を省略する。
【００３４】
制御部４０２は、コンテンツ変更検出部４０１からのコンテンツ変更通知信号を受信すると、コンテンツ変更情報配信部４０３にコンテンツ変更の連絡を行うよう指示する。
コンテンツ変更情報配信部４０３は、制御部４０２からのコンテンツ変更連絡指示を受けると、ユーザ情報データベース１０４から変更したコンテンツと関連性があるユーザ情報を読み出して、そのユーザに対して変更連絡のＥメールを配信する。
【００３５】
次に、コンテンツ変更時の自動連絡動作について図１０に示すフローチャートを用いて説明する。
はじめに、コンテンツ変更検出部４０１はコンテンツ変更があったかを判断し（ステップＳ１１０１）、コンテンツ変更があった場合（ＹＥＳ）、コンテンツ変更通知信号を制御部４０２に送出する。図１１は、コンテンツ変更の新着情報（Ｗｈａｔ'ｓＮｅｗ）の表示画面例を示す。
ステップＳ１１０１において、コンテンツ変更がないと判定した場合、再びコンテンツ変更の有無を判定する。
【００３６】
制御部４０２は、コンテンツ変更検出部４０１からのコンテンツ変更通知信号を受信すると、コンテンツ変更情報配信部４０３にコンテンツ変更の連絡を行うよう指示し、コンテンツ変更情報配信部４０３はその連絡を受けると、ユーザ情報データベース１０４からユーザ情報を取得する（ステップＳ１１０２）。
【００３７】
コンテンツ変更情報配信部４０３はユーザ情報データベース１０４から取得したユーザ情報に含まれるユーザの所在地域やユーザレベルを用いて、前述の第１の実施の形態と同様に当該ユーザが今回のコンテンツ変更に関係するユーザであるか否かを判断し（ステップＳ１１０３）、当該ユーザは変更したコンテンツ内容と関係があるユーザであった場合（ＹＥＳ）、コンテンツ変更を新着情報（Ｗｈａｔ'ｓＮｅｗ）としてユーザにＥメールで連絡し（ステップＳ１１０４）、ステップＳ１１０２に戻り、次のユーザ情報を取得する。
【００３８】
一方、ステップＳ１１０３において、当該ユーザは変更したコンテンツ内容と関係がないユーザであった場合（ＮＯ）、ステップＳ１１０２に戻り、次のユーザ情報を取得する。
【００３９】
以上説明したように、コンテンツ変更検出部４０１はコンテンツ変更が有ったことを検出したとき、コンテンツ変更通知信号を制御部４０２に送出する。制御部４０２は、コンテンツ変更検出部４０１からのコンテンツ変更通知信号を受信すると、コンテンツ変更情報配信部４０３にコンテンツ変更の連絡を行うよう指示する。コンテンツ変更情報配信部４０３はユーザ情報データベース１０４からユーザ情報を取得して、変更したコンテンツ内容と関係があるユーザに対してコンテンツ変更の連絡を行う。
【００４０】
これにより、コンテンツ変更とほぼ同時に変更内容をユーザに知らせることができるので、最新の情報を取得し速やかに広告やカタログなどに反映することができる。
【００４１】
以上説明したように、本発明によれば、製品の販売地域、販売時期（公開予定日）、ユーザレベル等に合わせて製品情報を自動的に配信することができる。また、製品のコンテンツ情報の変更があったときには、この製品のコンテンツ情報に関係があるユーザにのみ、変更したコンテンツ情報を自動的に配信することができる。
【産業上の利用可能性】
【００４２】
本発明に係るコンテンツ配信システム、ユーザ情報に応じたコンテンツ配信方法及びそのプログラムは、特定のユーザに配信するためのコンテンツ配信システムにおいて、配信先であるユーザの国や領域やユーザレベル等に応じて配信するコンテンツの内容を変えて提供する必要があるコンテンツ配信システムに対して有用である。
【図面の簡単な説明】
【００４３】
【図１】本発明の第１の実施形態に係るコンテンツ配信システムの構成を示すブロック図である。
【図２】ユーザ情報登録時及びコンテンツ情報配信の動作を示すフローチャート図である。
【図３】ログイン画面を示す模式図である。
【図４】プライバシーポリシーページ画面を示す模式図である。
【図５】ユーザ登録画面を示す模式図である。
【図６】管理者端末に表示されたユーザ登録画面を示す模式図である。
【図７】プロファイル登録画面を示す模式図である。
【図８】コンテンツ情報登録画面を示す模式図である。
【図９】本発明の第２の実施形態に係るコンテンツ配信システムの構成を示すブロック図である。
【図１０】コンテンツ変更情報があったときの動作を示すフローチャート図である。
【図１１】製品の新着情報を含む表示画面を示す模式図である。
【符号の説明】
【００４４】
１００，４００…コンテンツ配信システム、１０１…ユーザ情報取得部、１０２，４０２…制御部、１０３…ユーザ情報登録部、１０４…ユーザ情報データベース、１０５…コンテンツ情報取得部、１０６…コンテンツ情報登録部、１０７…コンテンツ情報データベース、１０８…コンテンツ情報配信部、２００…通信網、３００…ユーザ端末、４０１…コンテンツ変更検出部、４０３…コンテンツ変更情報配信部
【図１】
2006099398.tif 000004
【図２】
2006099398.tif 000005
【図３】
2006099398.tif 000006
【図４】
2006099398.tif 000007
【図５】
2006099398.tif 000008
【図６】
2006099398.tif 000009
【図７】
2006099398.tif 000010
【図８】
2006099398.tif 000011
【図９】
2006099398.tif 000012
【図１０】
2006099398.tif 000013
【図１１】
2006099398.tif 000014